(57)【特許請求の範囲】
【請求項１】
断熱容器と、この断熱容器の上端飲み口部外周に着脱できるように第１のねじ嵌合部で装着される環状の口部材と、この環状部材に前記第１のねじ嵌合部よりもリード角が大きいねじ嵌合部で着脱できるように装着されて口部材の上端開口を閉じる蓋体とを有して、断熱容器の上端飲み口を閉じる栓体と、この栓体の前記口部材の下部に上端開口部が着脱できるように装着されて断熱容器内に入り込み内容液中に浸漬されるようにした漉し容器と、を備え、茶漉し容器は、上端開口径＜深さの関係を満足して、断熱容器の中段深さ域に達するようにしたことを特徴とする漉し器付き保温ボトル。
【請求項２】
断熱容器と、この断熱容器の上端飲み口部外周に着脱できるように第１のねじ嵌合部で装着される環状の口部材と、この環状部材に前記第１のねじ嵌合部よりもリード角が大きいねじ嵌合部で着脱できるように装着されて口部材の上端開口を閉じる蓋体とを有して、断熱容器の上端飲み口を閉じる栓体と、この栓体の前記口部材の下部に上端開口部が着脱できるように装着されて断熱容器内に入り込み内容液中に浸漬されるようにした漉し容器と、を備え、茶漉し容器は、上端開口径＜深さの関係を満足し、栓体は、前記飲み口部の外周に装着される外壁と、飲み口部の内周に延びて茶漉し容器を装着している内壁とを備え、この内壁と飲み口部内周との間に断熱空間を有していることを特徴とする漉し器付き保温ボトル。
【発明の詳細な説明】
【技術分野】
【０００１】
本発明は漉し器付き保温ボトルに関し、詳しくは、茶やハーブなどを抽出する漉し器を備え抽出液を保温できる漉し器付き保温ボトルに関するものである。
【背景技術】
【０００２】
この種の漉し器付き保温ボトルは既に知られている（例えば、特許文献１〜３参照。）。
【０００３】
特許文献１は、断熱容器に、その上端に着脱できるよう上端飲み口に被さって装着されて、自身の下端部に着脱できるように装着している漉し容器内を外部に開放する環状の口部材と、この口部材の上端開口に着脱できるように装着されて口部材の上端開口を閉じる蓋体とを備えた栓体を組み合わせたものを開示している。また、漉し容器は、口部材の蓋体の取り外しにより開放された上端側から着脱できるようにしている。
【０００４】
特許文献２、３は、断熱容器に、その上端に着脱できるように装着され、中央に開口とこの開口を開閉する常開の弁を持った口栓部材と、この口栓部材の上端に着脱できるように装着されて前記弁を閉じる蓋体とを備えた栓体を組み合わせ、栓体の下部、つまり、口栓部材の下端に茶漉し容器を着脱できるように装着したものを開示している。また、漉し容器は、栓体を断熱容器から取り外した栓体に対して着脱できるようにしている。
【特許文献１】特開平１１−２５３３２１２号公報
【特許文献２】特開２００３−２３０４９０号公報
【特許文献３】特開２００３−１３５２７６号公報
【発明の開示】
【発明が解決しようとする課題】
【０００５】
ところで、特許文献１〜３に記載のものは、いずれも、断熱容器に装着した口部材または口栓部材から蓋体を取り外すと、それら口部材または口栓部材に装着している漉し容器が口部材または口栓部材を介し上方に開放されるので、特許文献１が開示しているように漉し容器に入っているハーブ茶や緑茶などの抽出材に対し、上方からお湯を注いで二番煎じなどの抽出が行える。もっとも、一番煎じを行うこともできる。
【０００６】
これに対し、近時では、これらの漉し容器付き保温ボトルがマイボトルとして携行し繰り返し使用される用途の広がりの中、抽出に時間が掛かるハーブ茶などは、特に、抽出材を内容液に浸漬したまま携行し使用するのが便利になっているし、ハーブ茶は終始浸漬状態にしても緑茶のような過剰な苦みが生じないので、分解、洗浄時まで入れっぱなしにしておく使用状態が増加している。
【０００７】
また、家を出て就労や学業、諸活動に携わり、帰宅するまでの間、使用し続けることに対応できる大容量化も求められている。
【０００８】
しかし、特許文献１〜３に記載の漉し容器は、いずれも、断熱容器の深さに対し、漉し容器は自身の開口径よりも浅い形態のもので、内容液が少し減量するだけで漉し容器は内容液中に浸漬できなくなり、長時間浸漬に対する近時の要望に応えられない。また、携行性を損なわないで大容量化するには胴径に対する深さの比を高めることになるが、それでは、全容量に対する浸漬時間の割合が益々短くなる関係となる。
【０００９】
また、特許文献１に開示のもののように、断熱容器である金属製の真空二重容器の上端開口を飲み口とするのに、特許文献１〜３に記載のもののような口部材や口栓部材を上端開口の内周にねじ嵌合すると、そのねじ部が飲み口への流れが乱れて飲みずらいし、内容液を他に移すのにも側方へ漏らしてしまいかねない。特許文献１はこれに対応するのに、ねじを周方向の特定範囲で無くすことで対応しているが、それでは、飲み口全体が開放されているにもかかわらず飲み位置や流出位置をそれに合わせる必要があって使用しにくい。
【００１０】
本発明の目的は、近時の長時間浸漬、大容量化の要望に適し、必要に応じ直飲みしやすくもできる漉し器付き保温ボトルを提供することにある。
【課題を解決するための手段】
【００１１】
上記の目的を達成するために、本発明の漉し器付き保温ボトルは、断熱容器と、この断熱容器の上端飲み口部外周に第１のねじ嵌合部で装着される環状の口部材と、この環状部材に前記第１のねじ嵌合部よりもリード角が大きいねじ嵌合部で着脱できるように装着されて口部材の上端開口を閉じる蓋体とを有して、断熱容器の上端飲み口を閉じる栓体と、この栓体の前記口部材の下部に上端開口部が着脱できるように装着されて断熱容器内に入り込み内容液中に浸漬されるようにした漉し容器と、を備え、漉し容器は、上端開口径＜深さの関係を満足して、断熱容器の中段深さ域に達するようにしたことを１つの特徴としている。
【００１２】
このような構成では、断熱容器、栓体、漉し容器は、互いの着脱できる装着部にてそれぞれ１つに分解して丸洗いできるし、断熱容器に栓体を装着するとそれを閉じられるので内容液の漏出を防止しながら断熱容器の断熱性による保冷または保温しての貯液、携行使用ができる。同時に、断熱容器に第１のねじ嵌合部で装着した口部材と、この口部材の上端開口に第２のねじ嵌合部で装着した蓋体とを有した栓体の前記口部材の下部に漉し容器を装着するとそこに収容している抽出材を、漉し容器の上端開口径＜深さの関係を満足し、断熱容器の中段深さ域に達する新規形態によって内容液に長い時間浸漬させやすいし、長時間浸漬に向かない抽出対象には漉し容器の取り外しなどにより開放して抽出材を排出することでいつでも対応できる。しかも、栓体は、断熱容器の上端開口の外周に装着されるので、内周に影響はなく断熱容器の上端開口を飲み口とするのに、ねじが邪魔になったり、ねじの周方向一部を無くして飲み位置などが周方向特定の位置に制限されるようなことはない。また、蓋体は、口部材とのねじ嵌合部のリード角が口部材と断熱容器口部との第１のねじ嵌合部のそれよりも大きい条件の基に口部材の上端開口と同時に漉し容器を開閉することができる。
【００１３】
本発明の漉し器付き保温ボトルは、また、断熱容器と、この断熱容器の上端開口部の外周に着脱できるように第１のねじ嵌合部で装着される環状の口部材と、この環状部材に前記第１のねじ嵌合部よりもリード角が大きいねじ嵌合部で着脱できるように装着されて口部材の上端開口を閉じる蓋体とを有して、断熱容器の上端飲み口を閉じる栓体と、この栓体の前記口部材の下部に上端開口部が着脱できるように装着されて断熱容器内に入り込んで内容液中に浸漬されるようにした漉し容器と、を備え、茶漉し容器は、上端開口径＜深さの関係を満足し、栓体は、前記飲み口部の外周に装着される外壁と、飲み口部の内周に延びて茶漉し容器を装着している内壁とを備え、この内壁と飲み口部内周との間に断熱空間を有していることを別の特徴としている。
【００１４】
このような構成では、断熱容器、栓体、漉し容器は、互いの着脱できる装着部にてそれぞれ１つに分解して丸洗いできるし、断熱容器に栓体を装着するとそれを閉じられるので内容液の漏出を防止しながら断熱容器の断熱性による保冷または保温しての貯液、携行使用ができる。同時に、断熱容器に第１のねじ嵌合部で装着した口部材と、この口部材の上端開口に第２のねじ嵌合部で装着した蓋体とを有した栓体の前記口部材の下部に漉し容器を装着するとそこに収容している抽出材を、漉し容器の上端開口径＜深さの関係を満足する新規形態によって内容液に長い時間浸漬させやすいし、長時間浸漬に向かない抽出対象には漉し容器の取り外しなどにより開放して抽出材を排出することでいつでも対応できる。しかも、栓体は、断熱容器の上端開口の外周に装着されるので、内周に影響はなく断熱容器の上端開口を飲み口とするのに、ねじが邪魔になったり、ねじの周方向一部を無くして飲み位置などが周方向特定の位置に制限されるようなことはない。また、栓体は、前記飲み口部の外周への外壁による装着構造の内側で、飲み口部の内周に延びて漉し容器を装着する内壁を利用した飲み口部内周との間の断熱空間にて、断熱容器と二重に断熱することができる。また、蓋体は、口部材とのねじ嵌合部のリード角が口部材と断熱容器口部との第１のねじ嵌合部のそれよりも大きい条件の基に口部材の上端開口と同時に漉し容器を開閉することができる。
【００２３】
本発明のそれ以上の目的および特徴は、以下の詳細な説明および図面の記載によって明らかになる。本発明の各特徴は自体単独であるいは可能な限り種々な組み合わせで複合して採用することができる。
【発明の効果】
【００２４】
本発明の漉し器付き保温ボトルの１つの特徴によれば、断熱容器、栓体、漉し容器はそれぞれ分解して丸洗いし細部まで清潔に保ちやすく、断熱容器に栓体を装着して液漏れを防止する状態で保冷または保温しての貯液、携行使用ができ便利である。断熱容器に蓋体を装着すると蓋体に支持した漉し容器が内容液中に浸漬されて、漉し容器に入れた抽出材を漉し容器の取り外しまで抽出状態における。特に、茶漉し容器の上端開口径＜深さの関係を満足し、断熱容器の中段深さ域に達する新規形態によって内容液に長い時間浸漬させやすいのでハーブ茶の抽出に適しているし、長時間浸漬に向かない緑茶などの抽出対象には漉し容器の取り外しなどにより開放して抽出材を排出することでいつでも対応でき問題とはならない。しかも、栓体は、断熱容器の上端開口の外周に装着されて内周のねじ嵌合部が不要になるので、従来のような内周のねじを部分的に無くす配慮は要らないし、それによって飲み位置などを周方向特定の位置に制限されたりすることはない。特に、蓋体は、口部材とのねじ嵌合部のリード角が口部材と断熱容器口部との第１のねじ嵌合部のそれよりも大きい条件の基に口部材の上端開口と同時に漉し容器を開閉することができる。
【００２５】
本発明の漉し器付き保温ボトルの別の特徴によれば、断熱容器、栓体、漉し容器はそれぞれ分解して丸洗いし細部まで清潔に保ちやすく、断熱容器に栓体を装着して液漏れを防止して保冷または保温しての貯液、携行使用ができ便利である。断熱容器に蓋体を装着すると蓋体に支持した漉し容器が内容液中に浸漬されて、漉し容器に入れた抽出材を漉し容器の取り外しまで抽出状態における。特に、茶漉し容器の上端開口径＜深さの関係を満足する新規形態によって内容液に長い時間浸漬させやすいのでハーブ茶の抽出に適しているし、長時間浸漬に向かない緑茶などの抽出対象には漉し容器の取り外しなどにより開放して抽出材を排出することでいつでも対応でき問題とはならない。しかも、栓体は、断熱容器の上端開口の外周に装着されて内周のねじ嵌合部が不要になるので、従来のような内周のねじを部分的に無くす配慮は要らないし、それによって飲み位置などを周方向特定の位置に制限されたりすることはない。また、栓体は、前記飲み口部の外周への外壁による装着構造の内側で、飲み口部の内周に延びて漉し容器を装着する内壁を利用した飲み口部内周との間の断熱空間にて、断熱容器と二重に断熱することができる。特に、蓋体は、口部材とのねじ嵌合部のリード角が口部材と断熱容器口部との第１のねじ嵌合部のそれよりも大きい条件の基に口部材の上端開口と同時に漉し容器を開閉することができる。
【発明を実施するための最良の形態】
【００３０】
以下、本発明の漉し器付き保温ボトルの実施の形態について図を参照しながら説明する。しかし、以下の説明は本発明の具体例であって、特許請求の範囲の記載を限定するものではない。
【００３１】
図１に示す本実施の形態の漉し器付き保温ボトル１は、断熱容器２と、この断熱容器２の上端飲み口３部の内周または外周に着脱できるように装着されて断熱容器２の上端飲み口３を閉じる栓体４と、この栓体４の下部に上端開口５部が着脱できるように装着されて断熱容器２に入り込み内容液中に浸漬されるようにした漉し容器６と、を備え、特に、漉し容器６は、上端開口径＜深さ  の関係を満足したものとしている。断熱容器２は、内外筒２ａ、２ｂを真空断熱空間２ｃとしたステンレス製の金属製の真空二重容器として外面を露出させてあり、内外筒２ａ、２ｂの上端間を溶接接合した接合縁にて薄い環状の飲み口３とし、バリ取り加工、バフ加工した平滑な仕上げ面としてある。また、栓体４は合成樹脂製として、軽量化、低コスト化に加え、成形性を確保している。さらに漉し容器６はステンレスやアルミニウム、銅、錫などの耐食性があり食品上無害な金属板をプレス加工したものでパンチング穴を設けたものとしている。しかし、真空二重容器は外装ケースに収容する構造とすることもできるし、他の断熱構造を採用し、あるいは組み合わせたものとしてもよい。漉し容器６は、前記金属材料よりなる網材をプレス成形したもの、あるいは金属板、金属棒よりなる上端開口５に接続したもので代替することもできる。
【００３２】
以上のような漉し器付き保温ボトル１では、断熱容器２、栓体４、漉し容器６は、互いの着脱できる装着部７、８にて図２に例示するようにそれぞれに分解して丸洗いできる。また、断熱容器２に栓体４を図１に示すように装着するとそれを閉じられるので内容液の漏出を防止しながら断熱容器２の断熱性による保冷または保温しての貯液、携行使用ができる。同時に、断熱容器２に装着した栓体４に図１に示すように漉し容器６を装着するとそこに収容している抽出材を、茶漉し容器６の上端開口径＜深さの関係を満足する新規形態によって内容液９に長い時間浸漬させやすいし、長時間浸漬に向かない抽出対象には漉し容器６の取り外しなどにより開放して抽出材を排出することでいつでも対応できる。
【００３３】
この結果、断熱容器２、栓体４、漉し容器６はそれぞれ分解して丸洗いし細部まで清潔に保ちやすいものとなる。また、断熱容器２に栓体４を装着して液漏れを防止する状態で保冷または保温しての貯液、携行使用ができ便利である。断熱容器２に蓋体４を装着すると蓋体４に支持した漉し容器６が内容液９中に浸漬されて、漉し容器６に入れた抽出材を漉し容器６の取り外しまで抽出状態における。特に、茶漉し容器６の上端開口径＜深さの関係を満足する新規形態によって内容液９に長い時間浸漬させやすいのでハーブ茶の抽出に適しているし、長時間浸漬に向かない緑茶などの抽出対象には漉し容器６の取り外しなどにより開放して抽出材を排出することでいつでも対応でき問題とはならない。
【００３４】
しかも、本実施の形態のように、栓体４が断熱容器２の上端開口３部の外周に着脱できるように装着される構成とすることにより、上端開口３の内周に着脱構造上の影響ながなく、断熱容器２の上端開口を飲み口３とするのに、ねじが邪魔になったり、ねじの周方向一部を無くして飲み位置などが周方向特定の位置に制限されるようなことはない。つまり、従来のような内周のねじを部分的に無くす配慮は要らないし、それによって飲み位置などを周方向特定の位置に制限されたりすることはない。
【００３５】
さらに、栓体４は、断熱容器２の上端飲み口３に前記装着部７にて着脱できるよう上端飲み口３に上方から跨って被さるように装着されて、自身の下端部に前記装着部８にて着脱できるように装着している漉し容器６内を外部に開放する環状の口部材４１と、この口部材４１の上端開口１１に装着部１２にて着脱できるように装着されて口部材４１の上端開口１１を閉じる蓋体４２とを備えたものとしている。ここで、装着部７、１２はねじ嵌合部、装着部８がヘリコイド係合部として着脱できる装着部７、８、１２としている。このように、口部材４１が断熱容器２の上端飲み口に被さるので、図２に示すようにそれぞれを分解しての丸洗い時や直飲み時以外の携行中、取り扱い中など、上端飲み口３を汚れや外力から保護することができ、蓋体４２が取り外されることで口部材４１が下端に支持している漉し容器６を図３、図４に示すように開放することができるので、そこに収容している抽出材を排出することができる。この場合、口部材４１を断熱容器２から取り外すことで漉し容器６を口部材４１と共に逆さにしての排出ができる。従って、口部材４１が断熱容器２の上端飲み口３に被さって丸洗い時や直飲み時以外の携行中、取り扱い中などに汚れや外力から保護しながら、蓋体４の取り外しで下端に支持している漉し容器６を開放し抽出材を簡単に取り出し排出させられるし、口部材４１を断熱容器２から取り外して行えば逆さにしてさらに簡単に排出しまた洗い落とせる。
【００３６】
さらに、蓋体４２は図１、図３に示すように、裏側に、漉し容器６の底部６ａを図３、図４に示すように嵌め込んで、その漉し容器６を装着している口部材４１と共に起立姿勢に保持する窪みを有したものとしている。これにより、蓋体４２を口部材４１から取り外して上下を反転させて載置し裏側の窪み４２ａを上向きとして、断熱容器２から口部材４１を漉し容器６伴い取り外して、漉し容器６の底部６ａを上向きとなった蓋体４２の窪み４２ａに嵌め合わせ起立状態に保持させておいて、断熱容器２単独での直飲みができる。従って、断熱容器２から漉し容器６付きの口部材４１を取り外して、その漉し容器６の底部６ａを、口部材４１から取り外して裏返し載置した蓋体４２の上向きとなった窪み４２ａに嵌め合わせるだけで、漉し容器６付き口部材４１を起立状態に保持し、また漉し容器６からのしみ出し液を窪み４２ａに溜め置けるので、漉し容器６を直置きして汚れたり、しみ出し液でまわりを濡らすことなく、断熱容器２単独での直飲みができ、便利になる。ここに、窪み４２ａは、漉し容器６から染み出る液量を収容できる大きさを有していることにより、しみ出し液が蓋体４２外に漏れ出て、蓋体４２のまわりを濡らすようなことを防止することができる。
【００３７】
また、漉し容器６は、図１、図２、図３に示すように胴部６ｂの、前記窪み４２ａに嵌り込む底部６ａ側が胴部径よりも小さくしている。これにより、口部材４１の下端部にできるだけ大径にして装着するのが容量上有利な漉し容器６であっても、その胴部径よりも小さくした底部６ａ側で蓋４２の窪み４２ａに嵌め合わせるので、断熱容器２に装着した口部材４１を図示する例の装着部１２のように、その内周にねじ嵌合して覆う程度の大きさの蓋体４２にても、その口部４１材の内周へのねじ嵌合スペース内側の狭い範囲に設けた窪み４２ａに嵌め合わせて保持することができる。従って、漉し容器６は、口部材４１の下端部にできるだけ大径にして装着したいところ、その胴部径よりも小さくした底部６ａ側で蓋体４２の窪み４２ａに嵌め合わることにより、口部材４１の内周にねじ嵌合して覆う必要最小限の大きさの蓋体４２の、ねじ嵌合スペース内側の狭い範囲に設けた窪み４２ａに嵌め合わせて保持することができ、蓋体４２が必要以上に大径化してかさ張り携帯に不便になるのを回避することができる。
【００３８】
さらに詳述すると、栓体４を断熱容器２の上端飲み口３に装着して液漏れを無くすため、図１に示すように、口部材４１の上端飲み口３の内周に入り込んで下端部に漉し容器６を支持する内壁４１ａと上端飲み口３の奥部に設けた絞り段部２１との間に上下左右方向の圧接代を有して挟み付けたシール部材２２により相互間をシールするのに併せ、口部材４１の開口１１部内周に装着部１２にて装着する蓋体４２の内壁４２ａの下端部と口部材４１の内壁４１ａの装着部１２の奥部の段部２３との間に左右上下方向の圧接代を有して挟み込んだシール部材２４によってシールしている。なお、シール部材２２は内壁４１ａの下端部外周の溝４１ｂに弾性的に嵌め合わせて保持し、シール部材２４は蓋体４２の内壁４２ｂの下端部外周の溝４２ｃに弾性的に嵌め合わせて保持している。しかし、これに限られることはない。
【００３９】
また、口部材４１は、前記シール部材２２を支持し段部２３を有した内壁４１ａ上端の外向きフランジ４１ｃ上に下向き段部４１ｄを上方から当てがって超音波溶着した外壁４１ｅとの組み合わせ構造とし、外壁４１ｄに前記上端開口１１、装着部７、１２を形成するのに併せ、内壁４１ａは断熱容器２の上端飲み口３部の内周との間に、その部分の真空断熱空間２ｃの幅と同等かそれ以上の幅の断熱空間２５を形成している。また、蓋体４は、前記シール部材２４を装着し、装着部１２、窪み４２ａを形成した内壁４２ｂ上端の外向きフランジ４２ｄに上方から当てがって超音波溶着した外壁４２ｅとの組み合わせ構造とし、内外壁４２ｂ、４２ｅの間に形成した中空部には断熱材２６を収容して、前記断熱空間２５と共に上部への熱の逃げを抑えている。外壁４２ｅの外周に口部材４１の上端開口１１形成部から装着部７形成部との間の肩部４１ｅに断熱空間２７を形成して被さるカバー壁４２ｆを一体形成している。カバー壁４２ｆは、口部材４１の外壁４１ｄの装着部７形成部とほぼ同径で連続面を形成するようにしてある。
【００４０】
栓体４は、口部材４１を断熱容器２に装着したままにして、蓋体４２だけを取り外したい場合、口部材４１を露出している装着部７形成部を一方の手で把持した状態で、他方の手で蓋体４２を把持して単独にねじ戻し方向に回転させれば、シール部材２２、２３による圧接抵抗が同等であるとか、大小関係があるとかに関係なく簡単に達成でき、口部材４１および蓋体４２を一体的に、つまり栓体４全体を断熱容器２から取り外したい場合、断熱容器２を一方の手で把持した状態で、他方の手で口部材４１を露出している装着部７形成部を把持して単独にねじ戻し方向に回転させれば簡単に達成できる。
【００４１】
最後に、ヘリコイド係合部とした装着部８は、図１、図５に示すように漉し容器６の上端開口５の周方向２か所に設けた突起８ａ１、８ａ２と、この突起８ａ１、８ａ２を軸線方向上方から図５に示す周方向２か所の着脱口８ｂ１、８ｂ２を通じ受け入れて、その後の漉し容器６の回転によりそれらと係合して抜け止めするヘリコイド８ｃ１、８ｃ２とで構成している。特に、ヘリコイド８ｃ１、８ｃ２はその下面に、着脱口８ｂ１、８ｂ２から係合回転方向に位置する図５に示す係合規制端８ｃ３に向け、漉し容器６の上端開口５まわりの外向きフランジ５ａをヘリコイド８ｃ１、８ｃ２の上面に引き付ける図５に示すような傾斜を持ち、突起８ａ１、８ａ２が係合規制端８ｃ３に達した位置で外向きフランジ５ａがヘリコイド８ｃ１、８ｃ２上面に所定の力で圧接され、その圧接摩擦によって口部材４１への支持状態に安定させる。従って、漉し容器６を口部材４１から取り外すには、前記圧接力に打ち勝って漉し容器６を口部材４１に対し前記とは逆の反係合方向に回転させる必要がある。
【産業上の利用可能性】
【００４２】
本発明は、漉し器付き保温ボトルに実用して、断熱容器に装着した栓体に支持する漉し容器で、従来よりも長い時間内容液に浸漬させられる。
【図面の簡単な説明】
【００４３】
【図１】本発明の実施の形態にかかる漉し器付き保温ボトルの縦断側面図である。
【図２】図１の漉し器付き保温ボトルの分解斜視図である。
【図３】図１の栓体における漉し容器付き口部材を、この口部材から取り外した蓋体を裏向けて上向きとなった窪みに、漉し容器の底部を嵌め合わせて起立状態に保持した状態を示す断面図である。
【図４】図３の外観斜視図である。
【図５】口部材の内壁を示す断面図および平面図である。
【符号の説明】
【００４４】
１  漉し器付き保温ボトル
２  断熱容器
２ｃ  真空断熱空間
３  上端飲み口
４  栓体
５、１１  上端開口
６  漉し容器
６ａ  底部
７、８、１２  装着部
９  内容液
２２、２４  シール部材
４１  口部材
４２  蓋体
【図１】
0005493297.tif 000002
【図２】
0005493297.tif 000003
【図３】
0005493297.tif 000004
【図４】
0005493297.tif 000005
【図５】
0005493297.tif 000006